【手続補正書】
【提出日】平成20年4月28日(2008.4.28)
【手続補正１】
【補正対象書類名】特許請求の範囲
【補正対象項目名】全文
【補正方法】変更
【補正の内容】
【特許請求の範囲】
【請求項１】
金融市場指数に係る複数の結果に関する賭けであって、第１金融市場指数の値が第１の所定の期間に上下するか示す第１賭け要素と、第２金融市場指数の値が第２の所定の期間に上下するか示す第２賭け要素とを有する賭けを格納するよう動作可能なメモリと、
前記メモリに接続されるプロセッサと、
を有する賭けシステムであって、
前記プロセッサは、
前記第１金融市場指数の値が前記第１の所定の期間に上下したかに少なくとも部分的に基づき、前記第１賭け要素の結果を決定し、
前記第２金融市場指数の値が前記第２の所定の期間に上下したかに少なくとも部分的に基づき、前記第２賭け要素の結果を決定し、
前記第１賭け要素と前記第２賭け要素の結果に少なくとも部分的に基づき、前記賭けの結果を決定する、
よう動作可能であることを特徴とする賭けシステム。
【請求項２】
請求項１記載のシステムであって、
前記第１賭け要素と前記第２賭け要素の結果の少なくとも１つが、外れであり、
前記賭けの結果が、外れである、
ことを特徴とするシステム。
【請求項３】
請求項１記載のシステムであって、
前記第１賭け要素と前記第２賭け要素の各結果が、当たりであり、
前記賭けの結果が、当たりである、
ことを特徴とするシステム。
【請求項４】
請求項１記載のシステムであって、
前記第１金融市場指数の値が前記第１の所定の期間に変化しない場合、前記第１の賭け要素は外れであることを特徴とするシステム。
【請求項５】
請求項１記載のシステムであって、
前記プロセッサはさらに、当たりと決定される賭け要素の個数に少なくとも部分的に基づき、前記賭けに対する払戻を決定するよう動作可能であることを特徴とするシステム。
【請求項６】
請求項１記載のシステムであって、
前記第１金融市場指数は、ダウ工業平均、ＮＡＳＤＡＱ、ＦＴＳＥ（Ｆｉｎａｎｃｉａｌ  Ｔｉｍｅｓ  Ｓｔｏｃｋ  Ｅｘｃｈａｎｇｅ）、Ｓ＆Ｐ５００及びＮＹＳＥ（Ｎｅｗ  Ｙｏｒｋ  Ｓｔｏｃｋ  Ｅｘｃｈａｎｇｅ）の少なくとも１つに関するものであることを特徴とするシステム。
【請求項７】
請求項１記載のシステムであって、
前記賭けは、前記第１の所定の期間を少なくとも特定することを特徴とするシステム。
【請求項８】
請求項１記載のシステムであって、
前記第１の所定の期間は、前記第２の所定の期間に等しいことを特徴とするシステム。
【請求項９】
請求項１記載のシステムであって、
前記賭けは、少なくとも前記第１金融市場指数のソースを指定することを特徴とするシステム。
【請求項１０】
請求項１記載のシステムであって、
前記賭けはさらに、第３金融市場指数の値が第３の所定の期間に上下するか示す第３の賭け要素を有し、
前記賭けの結果の決定はさらに、前記第３の賭け要素の結果に少なくとも部分的に基づくものとなる、
ことを特徴とするシステム。
【請求項１１】
請求項１記載のシステムであって、
前記プロセッサはさらに、
少なくとも前記賭けを実現し、前記賭けの要素の少なくとも一部の結果に従って変化するポイントカウントに少なくとも部分的に基づく価格を有する金融商品を確定し、
前記価格に対する前記金融商品の移転を容易にする、
するよう動作可能であることを特徴とするシステム。
【請求項１２】
金融市場指数に係る複数の結果に関する賭けであって、第１金融市場指数のある桁が第１の所定の期間の終了時に奇数又は偶数であるか示す第１賭け要素と、第２金融市場指数のある桁が第２の所定の期間の終了時に奇数又は偶数であるか示す第２賭け要素とを有する賭けを格納するよう動作可能なメモリと、
前記メモリに接続されるプロセッサと、
から構成される賭けシステムであって、
前記プロセッサは、
前記第１金融市場指数の桁が前記第１の所定の期間の終了時に偶数又は奇数であったかに少なくとも部分的に基づき、前記第１賭け要素の結果を決定し、
前記第２金融市場指数の桁が前記第２の所定の期間の終了時に偶数又は奇数であったかに少なくとも部分的に基づき、前記第２賭け要素の結果を決定し、
前記第１賭け要素と前記第２賭け要素の結果に少なくとも部分的に基づき、前記賭けの結果を決定する、
よう動作可能であることを特徴とする賭けシステム。
【請求項１３】
請求項１２記載のシステムであって、
前記第１の賭け要素と前記第２の賭け要素の結果の少なくとも１つが、外れであり、
前記賭けの結果が、外れである、
ことを特徴とするシステム。
【請求項１４】
請求項１２記載のシステムであって、
前記第１の賭け要素と前記第２の賭け要素の各結果が、当たりであり、
前記賭けの結果が、当たりである、
ことを特徴とするシステム。
【請求項１５】
請求項１２記載のシステムであって、
前記プロセッサはさらに、当たりと決定される賭け要素の個数に少なくとも部分的に基づき、前記賭けに対する払戻を決定するよう動作可能であることを特徴とするシステム。
【請求項１６】
請求項１２記載のシステムであって、
前記第１金融市場指数は、ダウ工業平均、ＮＡＳＤＡＱ、ＦＴＳＥ（Ｆｉｎａｎｃｉａｌ  Ｔｉｍｅｓ  Ｓｔｏｃｋ  Ｅｘｃｈａｎｇｅ）、Ｓ＆Ｐ５００及びＮＹＳＥ（Ｎｅｗ  Ｙｏｒｋ  Ｓｔｏｃｋ  Ｅｘｃｈａｎｇｅ）の少なくとも１つに関するものであることを特徴とするシステム。
【請求項１７】
請求項１２記載のシステムであって、
前記賭けは、前記第１の所定の期間を少なくとも特定することを特徴とするシステム。
【請求項１８】
請求項１２記載のシステムであって、
前記第１の所定の期間は、前記第２の所定の期間に等しいことを特徴とするシステム。
【請求項１９】
請求項１２記載のシステムであって、
前記賭けは、少なくとも前記第１金融市場指数のソースを指定することを特徴とするシステム。
【請求項２０】
請求項１２記載のシステムであって、
前記賭けはさらに、第３金融市場指数のある桁が第３の所定の期間の終了時に奇数又は偶数であるか示す第３の賭け要素を有し、
前記賭けの結果の決定はさらに、前記第３の賭け要素の結果に少なくとも部分的に基づくものである、
ことを特徴とするシステム。
【請求項２１】
請求項１２記載のシステムであって、
前記第１金融市場指数は、複数の桁を有し、
前記桁は、前記賭けによって特定される前記複数の桁の１つから構成される、
ことを特徴とするシステム。
【請求項２２】
請求項１２記載のシステムであって、
前記プロセッサはさらに、
少なくとも前記賭けを実現し、前記賭け要素の少なくとも一部の結果に従って変化するポイントカウントに少なくとも部分的に基づく価格を有する金融商品を確定し、
前記価格に対する前記金融商品の移転を容易にする、
よう動作可能であることを特徴とするシステム。
【請求項２３】
金融市場指数に係る複数の結果に関する賭けであって、第１金融市場指数のある桁が第１の所定の期間の終了時に複数の数値範囲の第１の選択された範囲内にあるか示す第１賭け要素と、第２金融市場指数のある桁が第２の所定の期間の終了時に複数の数値範囲の第２の選択された範囲内にあるか示す第２賭け要素とを有する賭けを格納するよう動作可能なメモリと、
前記メモリに接続されるプロセッサと、
から構成される賭けシステムであって、
前記プロセッサは、
前記第１金融市場指数の桁が前記第１の所定の期間の終了時に前記選択された第１の範囲内にあったかに少なくとも部分的に基づき、前記第１賭け要素の結果を決定し、
前記第２金融市場指数の桁が前記第２の所定の期間に終了時に前記選択された第２の範囲内にあったかに少なくとも部分的に基づき、前記第２賭け要素の結果を決定し、
前記第１賭け要素と前記第２賭け要素の結果に少なくとも部分的に基づき、前記賭けの結果を決定する、
よう動作可能であることを特徴とする賭けシステム。
【請求項２４】
請求項２３記載のシステムであって、
前記第１の賭け要素と前記第２の賭け要素の結果の少なくとも１つが、外れであり、
前記賭けの結果が、外れである、
ことを特徴とするシステム。
【請求項２５】
請求項２３記載のシステムであって、
前記第１の賭け要素と前記第２の賭け要素の各結果が、当たりであり、
前記賭けの結果が、当たりである、
ことを特徴とするシステム。
【請求項２６】
請求項２３記載のシステムであって、
前記プロセッサはさらに、当たりと決定される賭け要素の個数に少なくとも部分的に基づき、前記賭けに対する払戻を決定するよう動作可能であることを特徴とするシステム。
【請求項２７】
請求項２３記載のシステムであって、
前記第１金融市場指数は、ダウ工業平均、ＮＡＳＤＡＱ、ＦＴＳＥ（Ｆｉｎａｎｃｉａｌ  Ｔｉｍｅｓ  Ｓｔｏｃｋ  Ｅｘｃｈａｎｇｅ）、Ｓ＆Ｐ５００及びＮＹＳＥ（Ｎｅｗ  Ｙｏｒｋ  Ｓｔｏｃｋ  Ｅｘｃｈａｎｇｅ）の少なくとも１つに関するものであることを特徴とするシステム。
【請求項２８】
請求項２３記載のシステムであって、
前記賭けは、前記第１の所定の期間を少なくとも特定することを特徴とするシステム。
【請求項２９】
請求項２３記載のシステムであって、
前記第１の所定の期間は、前記第２の所定の期間に等しいことを特徴とするシステム。
【請求項３０】
請求項２３記載のシステムであって、
前記賭けは、少なくとも前記第１金融市場指数のソースを指定することを特徴とするシステム。
【請求項３１】
請求項２３記載のシステムであって、
前記賭けは、第３金融市場指数のある桁が第３の所定の期間の終了時に複数の数値範囲の選択された第３の範囲内にあるか示す第３の賭け要素を有し、
前記賭けの結果の決定はさらに、前記第３の賭け要素の結果に少なくとも部分的に基づくものである、
ことを特徴とするシステム。
【請求項３２】
請求項２３記載のシステムであって、
前記第１金融市場指数は、複数の桁を有し、
前記桁は、前記賭けによって特定される前記複数の桁の１つから構成される、
ことを特徴とするシステム。
【請求項３３】
請求項２３記載のシステムであって、
前記選択された第１の範囲の少なくとも一部は、前記選択された第２の範囲と重複することを特徴とするシステム。
【請求項３４】
請求項２３記載のシステムであって、
前記プロセッサはさらに、
少なくとも前記賭けを実現し、前記賭け要素の少なくとも一部の結果に従って変化するポイントカウントに少なくとも部分的に基づく価格を有する金融商品を確定し、
前記価格に対する前記金融商品の移転を容易にする、
よう動作可能であることを特徴とするシステム。